(57)【特許請求の範囲】
【請求項１】
検出素子と、
一端に開口部を有し、内部に前記検出素子を収容するケースと、
前記ケースと嵌合して前記開口部を閉塞するホルダと、を備える検出装置において、
前記ケースには、係合孔が設けられるともに、該係合孔の周囲に前記ケースの外側に向かって突出するガイド部が設けられ、
前記ホルダは、
前記開口部を覆うベース部と、
前記ベース部から突出し、前記ケースと前記ホルダが組み付けられた状態で前記ケース内に挿入される突出部と、
前記突出部の外周面に設けられ、前記係合孔に係合する爪部と、
前記ベース部から延出し、前記ガイド部に案内されて前記係合孔を覆うカバー部と、を有し、
前記ケースと前記ホルダが組み付けられた状態で、前記係合孔が前記カバー部と前記ガイド部によって塞がれることを特徴とする検出装置。
【請求項２】
請求項１に記載の検出装置において、
前記突出部の外周面と前記ケースの内周面との間にはシール部材が配設され、
前記係合孔は、前記シール部材が配設される位置よりも前記開口部側に設けられることを特徴とする検出装置。
【請求項３】
請求項１又は２に記載の検出装置において、
前記ガイド部は、コ字状の突出壁からなり、
前記カバー部は、前記ベース部から延出する張出部及び前記張出部の先端から前記突出部と平行に延出するカバー部本体からなり、
前記ケースと前記ホルダが組み付けられた状態で、前記突出壁の内側面が前記カバー部本体に当接するとともに、前記コ字状の突出壁の開口側は前記張出部によって覆われることを特徴とする検出装置。
【請求項４】
請求項１〜３のいずれか１項に記載の検出装置において、
前記係合孔は、前記ケースの対向する側壁部にそれぞれ設けられることを特徴とする検出装置。
【請求項５】
請求項１〜４のいずれか１項に記載の検出装置であって、
前記検出素子は、磁気検出素子であり、
前記ケースの内部には、段部が設けられ、前記段部に磁石を組み付けた振り子が回動自在に配設され、前記ホルダの前記突出部の前記ケースに向かう一端側には、前記振り子を回動自在に押さえる押さえ部が設けられることを特徴とする検出装置。
【発明の詳細な説明】
【技術分野】
【０００１】
本発明は、検出装置に関し、一層詳細には防水機能を備えた検出装置に関する。
【背景技術】
【０００２】
従来から、検出素子を収容するケースと、ケースに嵌合するカバーとを備え、ケースの爪部をカバーの係合孔に係合することで、ケースとカバーを一体的に結合した検出装置が広く知られている。
【０００３】
このような検出装置において、カバーの外周面に、係合孔を覆う垂直壁を設け、係合孔に水平方向から水が浸入することを防止する技術的思想が提案されている（特許文献１参照）。
【０００４】
このようなケース構造１は、図７に示されるように、周縁にフランジ２を有するケース３と、周縁にフランジ４を有するカバー５と、から構成される。ケース３は、その垂直面６から突出する爪部７を有し、カバー５は、その垂直面８からフランジ４を超えてやや離れて垂下する係合アーム９を有する。カバー５の下端には、フランジ４と係合アーム９によって係合孔１０が形成される。係合アーム９の外周側には、係合孔１０を覆う垂直壁１１が設けられている。
【０００５】
図８に示されるように、ケース３のフランジ２に対しカバー５のフランジ４を嵌合し、且つ、カバー５の係合孔１０に対しケース３の爪部７を係合させることにより、ケース３にカバー５が取り付けられる。このとき、係合アーム９に設けられた垂直壁１１が係合孔１０を側方から覆うため、係合孔１０に水平方向（図８の矢印Ｘ方向）から水が浸入することを防止できるとしている。
【先行技術文献】
【特許文献】
【０００６】
【特許文献１】実開昭５８−１３１１１９号公報
【発明の概要】
【発明が解決しようとする課題】
【０００７】
しかしながら、上述した特許文献１のような従来技術では、図８からも容易に諒解されるように、カバー５の垂直面８と垂直壁１１との間には隙間Ｒがある。このため、例えば、洗車作業等を行う際に、当該隙間Ｒに対して垂直方向（図８の矢印Ｙ方向）から高圧の水を噴射した場合、当該隙間Ｒから係合孔１０を通じてケース３の内部に水が浸入してしまう可能性がある。
【０００８】
そこで、このような課題を解決するため、例えば、爪部を係合させた係合孔に接着剤を充填し、接着剤で係合孔を封止する方法が考えられる。しかしながら、このような方法では接着剤を充填する工程を要するため、作業工数の増加や製造コストの上昇が懸念される。
【０００９】
本発明は、以上のような課題を考慮してなされたものであり、簡単な構成で防水効果を得ることが可能な検出装置を提供することを目的とする。
【課題を解決するための手段】
【００１０】
本発明に係る検出装置は、
検出素子と、
一端に開口部を有し、内部に検出素子を収容するケースと、
ケースと嵌合して開口部を閉塞するホルダと、を備える検出装置において、
ケースには、係合孔が設けられるともに、該係合孔の周囲にケースの外側に向かって突出するガイド部が設けられ、
ホルダは、
開口部を覆うベース部と、
ベース部から突出し、ケースとホルダが組み付けられた状態でケース内に挿入される突出部と、
突出部の外周面に設けられ、係合孔に係合する爪部と、
ベース部から延出し、ガイド部に案内されて係合孔を覆うカバー部と、を有し、
ケースとホルダが組み付けられた状態で、係合孔がカバー部とガイド部によって塞がれることを特徴とする。
【００１１】
本発明に係る検出装置によれば、ケースとホルダが組み付けられた状態で、係合孔がカバー部とガイド部によって塞がれる。このため、係合孔に対して水平方向及び垂直方向から水が浸入することを防止することができ、簡素な構成でケース内部への水の浸入を防止することができる。
【００１２】
また、係合孔がカバー部とガイド部によって塞がれるので、爪部と係合孔の係合を解除することが困難であり、強固な係合構造とすることができる。
【００１３】
上記の検出装置において、突出部の外周面とケースの内周面との間にはシール部材が配設され、係合孔は、シール部材が配設される位置よりも開口部側に設けられると好適である。
【００１４】
このような構成によれば、シール部材がホルダの突出部の外周面とケースの内周面との間をシールする。仮に、係合孔から水が浸入したとしても、シール部材によってケース内部への水の浸入を阻止することができる。
【００１５】
上記の検出装置において、ガイド部は、コ字状の突出壁からなり、カバー部は、ベース部から延出する張出部及び張出部の先端から突出部と平行に延出するカバー部本体からなり、ケースとホルダが組み付けられた状態で、突出壁の内側面がカバー部本体に当接するとともに、コ字状の突出壁の開口側は張出部によって覆われると好適である。
【００１６】
このような構成によれば、突出壁の内側面がカバー部本体に当接するとともに、コ字状の突出壁の開口側は張出部によって覆われるため、係合孔がカバー部とガイド部によって一層確実に塞がれる。このため、係合孔を介してケース内部に水が浸入することを確実に防止することができる。また、突出壁の内側面がカバー部本体に当接しているので、強固な係合構造とすることができ、外力が加わったとしても、爪部を保護することができる。
【００１７】
上記の検出装置において、係合孔は、ケースの対向する側壁部にそれぞれ設けられると好適である。
【００１８】
このような構成によれば、ケースとホルダを確実且つ安定的に固定することができる。
【００１９】
上記の検出装置において、検出素子は、磁気検出素子であり、ケースの内部には、段部が設けられ、段部に磁石を組み付けた振り子が回動自在に配設され、ホルダの突出部のケースに向かう一端側には、振り子を回動自在に押さえる押さえ部が設けられると好適である。
【００２０】
このような構成によれば、前記の種々の効果に加えて、振り子の回動を磁気検出素子によって検出する際、振り子が位置ずれなく回動するため確実に角度が検出される。
【発明の効果】
【００２１】
本発明に係る検出装置によれば、ケースとホルダが組み付けられた状態で、係合孔がカバー部とガイド部によって塞がれるので、係合孔からの水の浸入を防止するとともに、強固な係合構造とすることができる。
【図面の簡単な説明】
【００２２】
【図１】本発明の実施形態に係るバンクアングルセンサのセンサ本体を省略した状態を示す分解斜視図である。
【図２】図１に示されるバンクアングルセンサの正面図である。
【図３】図１に示されるバンクアングルセンサを構成するホルダの側面図である。
【図４】図１に示されるバンクアングルセンサにおいてケースとホルダが嵌合した状態の一部破断斜視図である。
【図５】図４に示されるバンクアングルセンサのＶ−Ｖ線断面図である。
【図６】図４に示されるバンクアングルセンサのＶＩ−ＶＩ線断面図である。
【図７】従来技術に係る検出装置の一部省略拡大斜視図である。
【図８】従来技術に係る検出装置の一部省略拡大断面図である。
【発明を実施するための形態】
【００２３】
以下、本発明に係る検出装置に関し、自動二輪車（以下、車両という）に搭載されるバンクアングルセンサを例示して好適な実施形態を挙げ、添付の図面を参照しながら詳細に説明する。なお、本発明はバンクアングルセンサに限定されるものでないことは言うまでもない。
【００２４】
本発明の実施形態に係るバンクアングルセンサ２０は、図１に示されるように、一端に開口部２２を有するケース２４と、ケース２４の開口部２２に嵌合されるホルダ２６と、からなり、さらに、後述するように、前記ケース２４の内部に収装されるセンサ本体２８（図５参照）とを含む。ここでセンサ本体２８とは、車両が転倒等したことを検知して、燃料カットやエンジン点火系統の電源遮断等を行うための検出装置である。
【００２５】
ケース２４は、例えば、可撓性を有する樹脂から形成される。このケース２４は、内部に前記センサ本体２８が収容される有底略直方体状のケース本体３０と、ケース本体３０の長手方向の側壁部３２ａ、３２ｃに設けられる取付座３４ａ、３４ｂと、を備える。この取付座３４ａ、３４ｂは、図示しない取付け具を介して車両の所望の箇所にケース２４を取り付けるためのものである。
【００２６】
ケース本体３０の短手方向の側壁部３２ｂ、３２ｄには、矩形状の係合孔３８ａ、３８ｂが、互いに向かい合うように形成される。係合孔３８ａ、３８ｂには、後述するホルダ２６に形成された爪部４０ａ、４０ｂがそれぞれ係合される。
【００２７】
係合孔３８ａ、３８ｂの周囲には、側壁部３２ｂ、３２ｄの外周面から突出するように、ガイド部４２ａ、４２ｂが設けられる。ガイド部４２ａ、４２ｂは、図１及び図２に示されるように、コ字状の突出壁４４から構成される。前記突出壁４４は、矩形状の係合孔３８ａ、３８ｂの三方を囲繞し、ホルダ２６へ向かう上部が切り欠かれている。ケース本体３０の内壁部位には、後述するようにセンサ本体２８の回動軸６９を載置する段部４５が形成される。
【００２８】
取付座３４ａ、３４ｂは、ケース本体３０の長手方向の側壁部３２ａ、３２ｃから、外方に向かって突出する一組の腕部４８ａ、４８ｂを含む。この一組の腕部４８ａ、４８ｂは、円弧状に湾曲して、その先端部は互いに所定間隔離間している。互いに離間している先端部の間から、図示しない相手方やカラーあるいは緩衝部材を挿入するためである。
【００２９】
次に、ホルダ２６について、図１及び図３を参照しながら説明する。
【００３０】
ホルダ２６は、例えば、可撓性を有する樹脂から形成される。このホルダ２６は、平面視長円形状のベース部５０と、前記ベース部５０の下方にベース部５０と一体的に形成された筒部（突出部）５２と、前記ベース部５０の短手方向中央から外方へと延出するカバー部５４ａ、５４ｂと、前記ベース部５０の上面から突出するカプラ部５５とを含む。
【００３１】
筒部５２は、水平断面で長円形状であり、前記ベース部５０よりも若干小形で図１及び図３において下方に延在するものである。図３に示されるように、筒部５２の外周面５６の下部には、Ｏリング（シール部材）５７が嵌合する一条の凹溝５８が周回して設けられる。筒部５２の外周面５６において、前記ベース部５０と凹溝５８との間の短手方向側面には、それぞれ爪部４０ａ、４０ｂが突設されている。
【００３２】
一対の爪部４０ａ、４０ｂは、図３に示されるように、断面台形状であり、その頂面は水平面６０ａ、６０ｂとして構成されるとともに、下部はテーパ面６２ａ、６２ｂとして構成される。
【００３３】
カバー部５４ａ、５４ｂは、図１に示されるように、ベース部５０の短手方向中央から延出する張出部６４ａ、６４ｂと、該張出部６４ａ、６４ｂの先端から筒部５２の外周面５６と平行に垂下する平板状のカバー部本体６６ａ、６６ｂとからなる。カバー部本体６６ａ、６６ｂは、略矩形状であって、筒部５２の外周面５６から所定間隔離間するとともに筒部５２から突出した爪部４０ａ、４０ｂを覆うように設けられる。なお、図中、参照符号６８ａ、６８ｂは、筒部５２の外周面５６を形成する側壁の下端部から下方へと延在する一対の押さえ部を示す。後述するように、押さえ部６８ａ、６８ｂは、センサ本体２８を構成する回動軸６９を回動自在に固定するためのものである。
【００３４】
次に、ベース部５０の上面には前記カプラ部５５が突出形成される。カプラ部５５は、前記ベース部５０や筒部５２と一体的に樹脂製で形成される円筒状であり、その上部は大きく開口した開口部７０として形成されるとともに、一部に凹部７２が形成される。開口部７０の下部には、第１端子７４、第２端子７６及び第３端子７８が配設される（図５参照）。一方、ベース部５０の下面には回路基板８０が固着される。前記第１端子７４〜第３端子７８の一方の端部は前記カプラ部５５の開口部７０に臨むとともに、その他方の端部は前記回路基板８０の図示しない回路に電気的に接続される。第１端子７４には電源Ｖｃｃが供給され、第２端子７６はセンサ本体２８の出力信号用であり、第３端子７８はアース端子である。回路基板８０には、センサ本体２８を構成するホール素子（検出素子）８２が固着される。
【００３５】
なお、図中、参照符号８４は前記ホール素子８２と共働して図示しない車両の傾きを検出するセンサ本体２８を構成する振り子を示す。センサ本体２８の具体的構成については特開２００６−１８４２６３号公報に開示されていることから、ここでは煩雑さを避けるために説明を省略する。
【００３６】
以上のように構成されるバンクアングルセンサ２０の組み付け工程と、その作用効果について以下に説明する。
【００３７】
ケース２４とホルダ２６を組み付けるには、図６に示すように、まず、センサ本体２８を構成する振り子８４の回動軸６９をケース本体３０に設けられた段部４５に回動自在に載置する。次に、ホルダ２６の筒部５２の凹溝５８に、Ｏリング５７を配設する。この状態で、ホルダ２６の筒部５２をケース本体３０の開口部２２に挿入する。同時に、ホルダ２６の両端に設けられたカバー部５４ａ、５４ｂの先端を、ケース本体３０の外周面に突設されたガイド部４２ａ、４２ｂのコ字状の突出壁４４の開口側から挿入する。
【００３８】
そして、カバー部５４ａ、５４ｂをコ字状の突出壁４４の内側面で案内させながら、筒部５２を開口部２２の内側へさらに挿入する。可撓性を有する側壁部３２ｂ、３２ｄの一部は、爪部４０ａ、４０ｂのテーパ面６２ａ、６２ｂに押されて外方へ変形し、筒部５２と爪部４０ａ、４０ｂは一体的に開口部２２の内側を下降する。爪部４０ａ、４０ｂの水平面６０ａ、６０ｂが係合孔３８ａ、３８ｂに到達すると、爪部４０ａ、４０ｂが係合孔３８ａ、３８ｂに嵌入するとともに、変形した側壁部３２ｂ、３２ｄが原形状に戻る。また、ベース部５０の周縁下面がケース本体３０の側壁部３２ａ〜３２ｄの上端に当接する。その際、筒部５２の下端の押さえ部６８ａ、６８ｂはセンサ本体２８の回動軸６９を上方から押さえてこの回動軸６９を回動自在に固定する。
【００３９】
これにより、筒部５２の外周面５６に設けられた爪部４０ａ、４０ｂが、ケース本体３０の側壁部３２ｂ、３２ｄに設けられた係合孔３８ａ、３８ｂにそれぞれ係合し、図４に示されるように、ケース２４とホルダ２６は一体的に結合される。すなわち、爪部４０ａ、４０ｂの水平面６０ａ、６０ｂが係合孔３８ａ、３８ｂの縁部に当接することで、ホルダ２６をケース２４から抜き出すことが阻止される。なお、上記の例では、側壁部３２ｂ、３２ｄが外方に変形する例を示したが、爪部４０ａ、４０ｂの挿入に伴い、筒部５２の一部を内方に変形させてもよいし、両者の変形を組み合わせてもよい。また、前記のように、ケース２４とホルダ２６が一体化することによってセンサ本体２８の振り子８４は回路基板８０に設けられたホール素子８２に臨むことになる。
【００４０】
以上のように、ケース２４とホルダ２６が組み付けられた状態において、カバー部５４ａ、５４ｂのカバー部本体６６ａ、６６ｂは、ガイド部４２ａ、４２ｂの突出壁４４の内側面に当接している。また、カバー部５４ａ、５４ｂの張出部６４ａ、６４ｂは、コ字状のガイド部４２ａ、４２ｂのホルダ２６へ向かう側の開口を覆っている。このため、係合孔３８ａ、３８ｂは、カバー部５４ａ、５４ｂと、ガイド部４２ａ、４２ｂとによって塞がれる。
【００４１】
次いで、カプラ部５５の第１端子７４〜第３端子７８にそれぞれ図示しない電源線、信号線及びアース線が接続される。
【００４２】
このように、本発明の実施形態に係るバンクアングルセンサ２０は、一端に開口部２２を有し、内部にセンサ本体２８を収容するケース２４と、前記ケース２４と嵌合して開口部２２を閉塞するホルダ２６とを備える。ケース２４には、係合孔３８ａ、３８ｂが設けられるともに、該係合孔３８ａ、３８ｂの周囲に前記ケース２４の外側に向かって突出するガイド部４２ａ、４２ｂが設けられる。ホルダ２６は、開口部２２を覆うベース部５０と、ベース部５０から突出し、ケース２４内に挿入される筒部５２と、係合孔３８ａ、３８ｂに係合する爪部４０ａ、４０ｂと、ベース部５０から延出して係合孔３８ａ、３８ｂを覆うカバー部５４ａ、５４ｂとを有する。ケース２４とホルダ２６が組み付けられた状態で、係合孔３８ａ、３８ｂはカバー部５４ａ、５４ｂとガイド部４２ａ、４２ｂによって塞がれる。
【００４３】
係合孔３８ａ、３８ｂが、カバー部５４ａ、５４ｂとガイド部４２ａ、４２ｂによって塞がれるので、係合孔３８ａ、３８ｂに対し、水平方向からの水の浸入を防止するとともに、垂直方向からの水の浸入を防止することができる。すなわち、係合孔３８ａ、３８ｂとこれらにそれぞれ係合する爪部４０ａ、４０ｂ及びガイド部４２ａ、４２ｂを構成する突出壁４４の上面によって、縦断面で屈曲するラビリンス構造が形成される。このため、簡単な構成でケース２４の内部に水が浸入することを防止することができる。
【００４４】
また、爪部４０ａ、４０ｂと係合孔３８ａ、３８ｂの係合を解除するためには、係合孔３８ａ、３８ｂを露出させ、工具を用いて爪部４０ａ、４０ｂを押し込む等の動作が必要となる。このため、カバー部５４ａ、５４ｂを破損させて取り除かない限り、爪部４０ａ、４０ｂと係合孔３８ａ、３８ｂの係合を解除することが困難であり、強固な係合構造とすることができる。
【００４５】
また、筒部５２の外周面５６とケース２４の内周面６２との間にはＯリング５７が配設され、係合孔３８ａ、３８ｂは、Ｏリング５７が配設される位置よりも開口部２２側に設けられている。このため、仮に、係合孔３８ａ、３８ｂから水が浸入したとしても、Ｏリング５７によってケース２４内部への水の浸入を阻止することができる。
【００４６】
さらに、ガイド部４２ａ、４２ｂは、コ字状の突出壁４４から構成される。ケース２４とホルダ２６が組み付けられた状態で、突出壁４４の内側面は、カバー部５４ａ、５４ｂのカバー部本体６６ａ、６６ｂに当接する。さらに、コ字状の突出壁４４のホルダ２６へ向かう側の開口は、カバー部５４ａ、５４ｂの張出部６４ａ、６４ｂによって覆われる。このように、係合孔３８ａ、３８ｂは、カバー部５４ａ、５４ｂとガイド部４２ａ、４２ｂとによって離間なく塞がれるので、係合孔３８ａ、３８ｂを介してケース２４内部に水が浸入することを確実に防止することができる。また、カバー部５４ａ、５４ｂのカバー部本体６６ａ、６６ｂが突出壁４４の内側面に当接しているので、強固な係合構造とすることができ、外力が加わっても爪部４０ａ、４０ｂを保護することができる。
【００４７】
また、係合孔３８ａ、３８ｂは、ケース２４の対向する側壁部３２ｂ、３２ｄにそれぞれ設けられている。このため、ケース２４とホルダ２６を確実且つ安定的に固定することができる。
【００４８】
さらに、取付座３４ａ、３４ｂを構成する一組の腕部４８ａ、４８ｂは、円弧状に湾曲して、その先端部は互いに所定間隔離間している。従って、これらの先端部の間隙を利用して、相手方への装着が容易に行われる。
【００４９】
なお、本発明をバンクアングルセンサ２０に適用した例を実施形態として示したが、センサの種類はこれに限られるものではなく、他の電子部品を収納するためのセンサとしても利用可能である。すなわち、本発明は、係合孔３８ａ、３８ｂからの水の浸入を抑制するという目的の範囲において、各種検出装置に用いることができる。
【００５０】
本発明は、上述した実施形態に限らず、本発明の要旨を逸脱することなく、種々の構成を採り得ることは当然可能である。
【符号の説明】
【００５１】
２０…バンクアングルセンサ
２２…開口部
２４…ケース
２６…ホルダ
２８…センサ本体
３８ａ、３８ｂ…係合孔
４０ａ、４０ｂ…爪部
４２ａ、４２ｂ…ガイド部
４４…突出壁
５０…ベース部
５２…筒部（突出部）
５４ａ、５４ｂ…カバー部
５５…カプラ部
６４ａ、６４ｂ…張出部
６６ａ、６６ｂ…カバー部本体
６９…回動軸
８２…ホール素子（検出素子）
８４…振り子
【図１】
0005960107.tif 000002
【図２】
0005960107.tif 000003
【図３】
0005960107.tif 000004
【図４】
0005960107.tif 000005
【図５】
0005960107.tif 000006
【図６】
0005960107.tif 000007
【図７】
0005960107.tif 000008
【図８】
0005960107.tif 000009